(57)【要約】  【課題】  ガラス溶融試料のガラスビードを容易に試料皿から分離して分析できるようにすることにある。  【解決手段】  ガラス溶融試料を試料皿に採取して加熱溶融した後に冷却し、この試料にＸ線を照射して分析するガラス溶融試料の試料器具であって、試料器具１の柄２の先端側の頭部３の試料を入れる試料皿５に開閉蓋７を開閉可能に配設したものである。試料器具１の柄２の先端側の頭部３に試料皿５を嵌め込むための試料皿取付孔４を設けて、試料器具１の柄２の先端部の頭部３に開閉蓋７を開閉可能にロック具９で開閉蓋７の周部を取り付けて試料皿５を開閉するようにするのが好ましい。【選択図】    図２
0003124725.tif 000002
【実用新案登録請求の範囲】
【請求項１】
ガラス溶融試料を試料皿に採取して加熱溶融した後に冷却し、この試料にＸ線を照射して分析するためのガラス溶融試料の試料器具であって、
試料器具の柄の先端側の頭部の試料を入れる試料皿に開閉蓋を開閉可能に配設したことを特徴とするガラス溶融試料の試料器具。
【請求項２】
試料器具の柄の先端側の頭部に試料皿を嵌め込むための試料皿取付孔を設けるとともに、試料器具の柄の先端部の頭部に開閉蓋を開閉可能にロック具で開閉蓋の周部を取り付けて試料皿を開閉するようにした請求項１に記載のガラス溶融試料の試料器具。
【請求項３】
試料皿に損傷を与えないようにゴム等の緩衝材を試料器具に取り付けた請求項１または２に記載のガラス溶融試料の試料器具。
【請求項４】
開閉蓋を試料器具にロック具で開閉可能に設けた請求項１ないし３のいずれかに記載のガラス溶融試料の試料器具。
【考案の詳細な説明】
【技術分野】
【０００１】
本考案は、試料分析分野における、特に蛍光Ｘ線分析によるガラス溶融試料の試料器具に関するものである。
【背景技術】
【０００２】
クロム鉱等のクロムを含む試料の分析は、液薬品を用いる手作業の分析で行ってきたが、この方法は非常に手間がかかり、自動分析である蛍光Ｘ線分析で行う方法に移行させている。蛍光Ｘ線分析では、分析するものを粉砕し、アルカ融剤等と混合し、白金皿に入れ、加熱溶融して後、冷却してガラス状の試料を作り、それにＸ線を照射して分析をする。このガラス溶融試料をガラスビードと言う。
【０００３】
分析するものが、クロム鉱等のクロムを含む場合、白金皿にガラスビードが溶着して、冷却後、白金皿から剥がすのが困難になり、良好なガラスビードが作れないことが多かった。
【０００４】
また、高温（８００〜１０００℃）で溶融するため、油等の離型剤は効果がなく、高温に耐えるものでは、分析に影響を及ぼすため用いることができない。
【０００５】
従来は、内面が非常に平滑な白金皿を用いることにより、ガラスビードの剥離性を良くして、ガラスビードを作っていた。しかし、クロム分が多い試料では良好なガラスビードが作れなかった。
また、上記のガラス溶融試料の試料器具について、特許調査を行った結果、特に改良技術は提案されていない。
【考案の開示】
【考案が解決しようとする課題】
【０００６】
したがって、本考案は、ガラス溶融試料のガラスビードを容易に試料皿から分離して分析できるようにすることにある。
【課題を解決するための手段】
【０００７】
本考案は、上記したような点に鑑みたもので、上記した課題を解決するために、ガラス溶融試料を試料皿に採取して加熱溶融した後に冷却し、この試料にＸ線を照射して分析するためのガラス溶融試料の試料器具であって、試料器具の柄の先端側の頭部の試料を入れる試料皿に開閉蓋を開閉可能に配設したことを特徴とするガラス溶融試料の試料器具を提供するにある。
【０００８】
また、試料器具の柄の先端側の頭部に試料皿を嵌め込むための試料皿取付孔を設けるとともに、試料器具の柄の先端部の頭部に開閉蓋を開閉可能にロック具で開閉蓋の周部を取り付けて試料皿を開閉するようにしたガラス溶融試料の試料器具を提供するにある。
【０００９】
さらに、試料皿に損傷を与えないようにゴム等の緩衝材を試料器具に取り付けたガラス溶融試料の試料器具を提供するにある。
【００１０】
さらにまた、開閉蓋を試料器具にロック具で開閉可能に設けたガラス溶融試料の試料器具を提供するにある。
【考案の効果】
【００１１】
本発明のガラス溶融試料の試料器具は、試料器具の柄の先端側の頭部の試料を入れる試料皿に開閉蓋を開閉可能に配設することによって、試料を試料皿に入れてガラスビードとなっても、試料皿を開閉蓋で閉じて試料皿部を台等に打ち付けると、はがれにくかったガラスビードが容易に試料皿から分離し、開閉蓋を開けると試料を取り出せて、分析することができる。
【００１２】
また、試料器具の柄の先端側の頭部に試料皿を嵌め込むための試料皿取付孔を設けるとともに、試料器具の柄の先端部の頭部に開閉蓋を開閉可能にロック具で開閉蓋の周部を取り付けて試料皿を開閉するようにすることによって、試料皿単体を持ち運べ、この試料皿に試料を入れて試料器具の柄の先端側の頭部の試料皿取付孔に嵌め込めば、上記のように操作して分析処理するようにできる。
【００１３】
さらに、試料皿に損傷を与えないようにゴム等の緩衝材を試料器具に取り付けることによって、試料皿部を台等に打ち付けるときに、衝撃音の発生を和らげて、騒音を防止できて、試料皿から試料をはがすことができる。
【００１４】
さらにまた、開閉蓋を試料器具にロック具で開閉可能に設けることによって、試料器具の頭部の試料皿に開閉蓋を開閉できるとともに、ロック具で閉じた状態にしておくことができる。
【考案を実施するための最良の形態】
【００１５】
本発明のガラス溶融試料の試料器具は、ガラス溶融試料を試料皿に採取して加熱溶融した後に冷却し、この試料にＸ線を照射して分析するためのガラス溶融試料の試料器具であって、試料器具の柄の先端側の頭部の試料を入れる試料皿に開閉蓋を開閉可能に配設したことを特徴とするガラス溶融試料の試料器具を特徴としている。
【００１６】
ガラス溶融試料の試料器具１は、図１、図２のように１００〜２００ｍｍの長さの柄２の先端側に円形状等の頭部３を一体的に設けて、この頭部３に円環状の試料皿取付孔４を開孔し、皿状の試料皿５を嵌め込んで搭載するようにし、頭部３の周部の先端部に蝶番６を介して開閉蓋７を試料皿５に開閉可能に取り付けて形成している。
【００１７】
開閉蓋７は、図１、図２のように試料皿５を密閉できる試料皿５の上面とほぼ同一形状の円形状としているとともに、その試料器具１の柄２側に開閉蓋操作用杆８を柄２と同じ形状、長さとして重ね合わせるように突き出し、ベルベットファスナーの自在ファスナー等の締め具のロック具９で試料器具１に閉じた状態にしておけるようにしている。
【００１８】
また、試料皿５は、図３のように２０〜３０ｍｍ深さで、周部に５〜１０ｍｍ幅の鍔状の側縁１０を突設した４０〜６０ｍｍ外径の白金で形成することができるが、本考案の蛍光Ｘ線分析用の試料作製に利用可能なものであればよい。
【００１９】
そして、このような試料器具１の開閉蓋７の下面側および上面側に円形状や円環状等の所定の厚さのゴムシート等の緩衝材１１、１２を貼り付け、下面側の緩衝材１１を試料皿５の上面に当接するようにしているとともに、上面側の緩衝材１2 を介して台等に打ち付けても、衝撃音の発生を和らげて、騒音を防止できるようにしている。このゴムシートとしては、高弾性吸収ゴムが好ましい。
【００２０】
試料器具１の試料を入れる試料皿５は、上記したように着脱可能なもので、試料皿５を嵌め込む部分はスプーン状やしゃもじ状の所定の深さの凹みを頭部３に一体的に形成したものでもよく、また開閉蓋７の開閉手段は図４（ａ）〜（ｅ）のようにいろいろな態様を実施することができる。
【００２１】
すなわち、図４（ａ）のように開閉蓋７の柄２側に短く係止具１３を突設して、リング状の摺動自在なロック具９で係止具１３に挿脱したり、図４（ｂ）のように頭部３の周部の側部に開閉蓋７を蝶着してその対向部分に係止具１３を突設して頭部側部のロック具９に係脱自在に設けたり、図４（ｃ）のように頭部３の柄２側に開閉蓋７を蝶着してその先端部にロック具９を介して開閉蓋７に突設した係止具１３に係脱自在に配設することができる。
【００２２】
さらに、図４（ｄ）のように開閉蓋７の両側部に係止具１３を突設して頭部３の側周部の係脱具に挿脱して着脱自在としたり、図４（ｅ）のように頭部３の内周側に雌ねじ１４を設けるとともに開閉蓋７の外周側に雄ねじ１５を設けて螺着するなど、本考案の趣旨にもとづいて適宜に実施できるものである。
【実施例】
【００２３】
図１〜図３は、本考案の一実施例で、試料皿５を図３のように２０ｍｍの深さで、側周部に５ｍｍ幅の鍔状の側縁１０を突設した５５ｍｍ外径の大きさに白金で形成し、試料器具１の１５０ｍｍ長さとした柄２の先端に一体的に形成した頭部３の円形状に開孔した試料皿取付孔４に試料皿５を嵌め込み、開閉蓋７の先端部を頭部３に蝶番６で蝶着して、柄２側に突設した開閉蓋操作用杆８を係脱自在なベルベットファスナーのロック具９で柄２にロック可能に形成したものである。
【００２４】
特に、試料器具１の開閉蓋７の下面側および上面側に、図２のように円形状の３ｍｍ厚さのゴムシートの緩衝材１１、１２を貼り付け、上面側の緩衝材１２を介して台等に打ち付けても、衝撃音の発生を和らげて、騒音を防止できるようにしている。
【００２５】
そして、分析する炭化珪素の材料を粉砕してアルカリ融剤等と混合し、試料皿５に入れて加熱溶融してガラス状にした後、それを冷却した。そして、その試料皿５を試料器具１の頭部３の試料皿取付孔４に嵌め込んで開閉蓋７を閉じ、ロック具９で巻いて開閉蓋７を柄２に固定した。ついで、開閉蓋７の方を下向きにして、柄２を持って台に打ち付けた。    
【００２６】
その結果、炭化珪素等の試料を用いたガラスビードは、従来白金皿からはずしにくかったが、本考案の器具を使用することにより容易にはずすことができた。特に、白金皿からガラスビードがはずれれば、音で分かるので、はずれたことを確認して、開閉蓋７を開け、試料皿５をはずして下向きにすれば、ガラスビードを容易に取り出せた。
【００２７】
このようにして表１のようにクロム含有の分析試料をいろいろと試した結果、いずれもガラスビードを容易にはずせた。
表１    いろいろな分析試料について
【表１】
0003124725.tif 000003
【００２８】
一方、本考案の器具を使用しない従来の比較例にあっては、表２のようにガラスビードが破損したり、はずすのが難しいものであった。
表２    比較例について
【表２】
0003124725.tif 000004
【図面の簡単な説明】
【００２９】
【図１】本考案の一実施例の平面図、
【図２】同上の側面図、
【図３】同上の試料皿の側断面図、
【図４】同上のいろいろな開閉蓋の開閉手段にもとづく他の実施例のそれぞれの説明用斜視図（ａ）、（ｂ）、（ｃ）、（ｄ）、（ｅ）。
【符号の説明】
【００３０】
１…試料器具      ２…柄          ３…頭部          ４…試料皿取付孔
５…試料皿        ６…蝶番        ７…開閉蓋        ９…ロック具
１１…緩衝材      １２…緩衝材
【図１】
0003124725.tif 000005
【図２】
0003124725.tif 000006
【図３】
0003124725.tif 000007
【図４】
0003124725.tif 000008